(57)【要約】【課題】組み立ての際の作業性を向上すると共に使用時の騒音防止に有効なテントを提供する。【解決手段】端部に接続部を有し、この接続部に抜止用突状を設けた複数の硬質性中空継手２０，２０に、熱可塑性ポリマーとポリエステル系合成繊維とからなる可撓性管状支柱１０の管端を被覆させ、硬質性中空継手２０に環状止具３０を嵌着させてテント１００の骨組を構成した。この骨組に対しエアーを充填或いは排出することにより組立或いは折畳み可能である。さらに、可撓性管状支柱１０に張脱自在に張設する天幕４０，グランドシート５０を備えている。【選択図】図１
2017190578.tif 000002
【特許請求の範囲】
【請求項１】
支柱にエアーを充填或いは排出することにより組立或いは折畳み可能なテントであって、
熱可塑性ポリマーとポリエステル系合成繊維とからなる可撓性管状支柱と、
端部に前記可撓性管状支柱が接続された中空継手と、
該中空継手に取着して前記支柱間を連通させるための環状止具と
を備えていることを特徴とするテント。
【請求項２】
前記中空継手は、端部に接続部を有し、該接続部に抜止用突状が設けてあり、
前記環状止具は、前記中空継手に嵌着していることを特徴とする請求項１記載のテント。
【請求項３】
前記支柱に張脱自在に張設するシート材を備えていることを特徴とする請求項１又は２に記載のテント。
【請求項４】
前記シート材は、前記支柱に着脱自在に係止するための係止部材を備えていることを特徴とする請求項３記載のテント。
【発明の詳細な説明】
【技術分野】
【０００１】
本発明は、空気膨張式のテントに関する。
【背景技術】
【０００２】
従来、テントの骨組全体を複数の膨張ブロックに棟割りする気室に分割することにより、骨組を膨張させるときの各膨張ブロックにかかる天幕の重みを軽減させるようにしたものがある。
【先行技術文献】
【特許文献】
【０００３】
【特許文献１】実開平４−１２９２７８号公報
【０００４】
ところが、この従来構成においては、骨組全体が複数の気室に分割されている為、骨組を膨張させる際に、まず第一の気室を充気してある程度まで起き上がらせ、次に第二の気室を充気してある程度まで起き上がらせ、最後に第三の気室を充気するという手順を経なければならず、その作業は煩雑であるという問題があった。また従来の密封式のものは送風式のものに比べ重量が重い傾向にあった。他方、送風式のものは、電源が必要であり、常時送風機を動作させるため、騒音が発生するという問題があった。
【発明の概要】
【発明が解決しようとする課題】
【０００５】
本発明は、上記のような従来技術に存在する問題点に着目してなされたものである。その目的とするところは、作業性を向上すると共に騒音防止に有効なテントを提供することにある。
【課題を解決するための手段】
【０００６】
上記目的を達成するために、本発明のテントは、支柱にエアーを充填或いは排出することにより組立或いは折畳み可能なテントであって、熱可塑性ポリマーとポリエステル系合成繊維とからなる可撓性管状支柱と、端部に前記可撓性管状支柱が接続された中空継手と、該中空継手に取着して前記支柱間を連通させるための環状止具とを備えていることを特徴としている。
【０００７】
また、本発明のテントにおいて、前記中空継手は、端部に接続部を有し、該接続部に抜止用突状が設けてあり、前記環状止具は、前記中空継手に嵌着していることを特徴としている。
【０００８】
さらに、本発明のテントにおいて、前記支柱に張脱自在に張設するシート材を備えていることを特徴としている。
【０００９】
さらにまた、本発明のテントにおいて、前記シート材は、前記支柱に着脱自在に係止するための係止部材を備えていることを特徴としている。
【発明の効果】
【００１０】
本発明の請求項１記載のテントによれば、上記のように構成されているので、支柱間が連通してエアーを充填し、組み立ての作業性が良い。また、エアーを充填し続ける必要がないので、騒音防止に有効である。
【００１１】
請求項２記載のテントによれば、上記のように構成されているので、請求項１記載のテントの奏する効果に加えて、接続部での抜脱を防止するという効果を奏する。
【００１２】
請求項３記載のテントによれば、上記のように構成されているので、請求項１又は２に記載のテントの奏する効果に加えて、シート材を支柱から取外して洗濯或いは乾燥をすることができるという効果を奏する。
【００１３】
請求項４記載のテントによれば、上記のように構成されているので、請求項３記載のテントの奏する効果に加えて、シート材の着脱作業が容易かつ簡単に行えるという効果を奏する。
【図面の簡単な説明】
【００１４】
【図１】テントの全体を示す斜視図である。
【図２】支柱間の接続状態を示す要部拡大断面図である。
【図３】硬質性中空継手を示す要部拡大斜視図である。
【図４】天幕を示す要部斜視図である。
【図５】グランドシートを示す要部斜視図である。
【図６】係止部材による係止状態の一例を示す斜視図である。
【発明を実施するための形態】
【００１５】
（第１実施形態）
以下、本発明を実施するための形態を図１乃至図６に基づいて説明する。
【００１６】
図１は、本実施形態のテントを組み立てた状態を示している。テント１００は、屋根の傾斜が一方向の、いわゆる片流れテントであり、複数の可撓性管状の支柱１０，１０と、支柱１０を縦横に枠組み固定する複数の中空継手２０，２０と、中空継手２０に嵌着して隣接する支柱間を連通する複数の環状止具３０と、支柱１０に囲まれた一の面内を覆う別体の天幕４０と、支柱１０に囲まれた他方の面内に敷設される別体のグランドシート５０とを備えている。
【００１７】
支柱１０は、三層構造の熱可塑性ポリマーと高靭性テリレン（ポリエステル系合成繊維）とからなる軟質合成樹脂材を、略円筒状の可撓性真直管に成形加工してなる。その両端部に中空継手２０を設けている。一の中空継手２０の適所にエアーを注入するためのバルブ付注入口２１を備えており、支柱１０は、エアーを充填したときは円柱状に形成され、エアーを排出したときは扁平状に変形しうる。このため、使用後に支柱１０を小さく折畳んで図示しないポンプ等のエアー源と共にバッグに収納することができる。複数の支柱１０は、それぞれ桁、棟、角柱、複数の合掌、土台を構成する。
【００１８】
なお、図１においては、屋根部の骨組を構成する対向する支柱間に着脱自在に橋架される複数の硬質性補助合掌１１，１１を設け、桁と土台を構成する対向する支柱間に着脱自在に橋架される硬質性補助柱１２を設けている。また、枠組みされた中空継手間に紐、ワイヤからなる筋交い２５が斜めに設けてある。
【００１９】
中空継手２０は、ＰＣ／ＡＢＳからなる硬質合成樹脂材の成形加工により内部をエアーが通る中空状に形成してあり、図２に示すように、内部に少なくとも一以上の接続孔２２を有する。接続孔２２の端部に、支柱１０との接続部２３が一体形成されている。接続部２３は、支柱１０の内径と略同径である。接続部２３の外周表面に、縦断面視で外向きに突出する抜止用突状２４が単数乃至複数条設けてある。接続部２３は支柱１０の端部で被覆されており、その上から環状止具３０が嵌着されている。
【００２０】
環状止具３０は、ＰＣ／ＡＢＳ等の合成樹脂材の成形加工により接続部２３より大径環状に形成してあり、中空継手２０に嵌脱自在に嵌着する。環状止具３０は、接続部２３に嵌挿して中空継手２０と支柱１０を密閉状態に密着嵌着する。さらに、環状止具３０は、内側に中空継手２０の抜止用突状２４に対応する単数乃至複数条の抜止用凹状３１が設けてあり、さらに嵌着性が向上している。
【００２１】
環状止具３０は、図３に示すように、接続部２３において支柱１０の端部をしっかり密閉嵌着しており、支柱内のエアーの気密性を保持して支柱間を連通している。このようにして、環状止具３０は、支柱１０の抜脱防止と共に、支柱１０及び中空継手２０からのエアー漏れを防止する。
【００２２】
天幕４０は、表面に防水処理を施した高強力ポリエステルからなる合成樹脂製のシート資材を適当幅、長さに縫製加工して傾斜を有して形成してあり、四方の端縁に、鉛直方向に垂下する垂れ４１が設けてある。そして、図４に示すように、天幕４０の端縁よりやや内側の裏面に、四方に同素材からなる長尺状の、いわゆる帯ペケット４２が設けてある。帯ペケット４２は、側部が天幕４０に溶着して取り付けられており、長尺のテープ状体４３を所定間隔を存して備えている。
【００２３】
テープ状体４３は、組み立てる際に、桁、合掌及び棟を構成する支柱１０に囲まれた面のやや内側に位置して垂下している。テープ状体４３の一面に雌雄両用の面ファスナー４４が設けてある。また、テープ状体４３は、一端部に角環４５を有し、角環側が外側となるように、略中間部分がミシン糸などの固着手段により帯ペケット４２に固着されている。その固着位置は、角環側に所定長さを有し、他端部側の長さが角環側のそれより長くなる位置とされている。
【００２４】
グランドシート５０は、表面に防水処理を施した高強力ポリエステルからなる合成樹脂製のシート資材を適当幅、長さに縫製加工してある。図５に示すように、グランドシート５０の端縁に長尺のテープ状体５１が所定間隔を存して設けてある。テープ状体５１は、一面に雌雄両用の面ファスナー５２が設けてあり、その一端部に角環５３が設けてある。
【００２５】
次に、本実施形態のテント１００の使用方法について説明する。テント１００を組み立てるには、まず、バッグから折畳まれた状態のテント１００とポンプを取り出し、テント１００を広げる。広げたテント１００の注入口２１からポンプを使ってエアーを入れると、テント１００が立ち上がり、エアーの充填により支柱１０は膨張硬化した円柱状となる。
【００２６】
ついで、支柱１０に天幕４０を張設する。このとき、図６に示すように、角環４５を支柱１０と天幕４０との間を通して桁、合掌又は棟を構成する支柱１０に部分的に巻き付け、他端部４６を角環４５に通してテープ状体４３を垂れ４１がある外側方向へ引っ張りながら支柱１０に巻回する。この状態で、或いは必要に応じてあてがうなどすることにより、他端部４６を角環４５で折返してテープ状体４３に押し付けて面ファスナー４４相互を着脱自在に係止する。これにより、図６に示すように、天幕４０は支柱１０にしっかり装着される。
【００２７】
最後に、グランドシート５０を敷設し土台を構成する支柱１０に係止する。ここでは、テープ状体５１を支柱１０に軽く巻回し、角環５３を通した面ファスナー５２相互を着脱自在に係止すればよい。つまり、グランドシート５０の場合には、天幕４０のようにテンションを張った状態に張設する必要はなく、緩やかに敷設する程度でもよい。これにて本実施形態のテント１００の組み立てが完成する。なお、必要に応じてペグ等を用いて固定してもよい。
【００２８】
以上詳述した本実施形態のテント１００によれば、次のような効果が発揮される。
隣接支柱間に中空継手２０を設け、これに環状止具３０を嵌着することによって支柱間が連通して内部が密閉状態に維持され、注入口２１からエアーを充填するだけでテント１００の骨組を構成でき、組み立ての際の作業性が非常に良い。特に、従来のスチールパイプ製テントのようにスチールパイプをつなぐ作業は必要ない。例えば、幅２７０ｃｍ×高さ１４０ｃｍ程度のテントであれば、手動式のポンプを使用した場合、１人の作業員が約３分程度で組み立てを完成することができる。
【００２９】
このように骨組全体で一の気室を構成するように支柱間が連通されているので、組立作業を非常に迅速に行うことができ、従来の密閉式のテントのような煩雑な作業は必要なく、作業性が向上している。また、上記構成により、使用の際の支柱１０の気密性が保持され、追加のエアー補充の必要はなく使用することができる。従来の送風式のものと異なり、電源は必要なく、常時送風機を動作させることがないので、騒音を防止できる。
【００３０】
また、注入口２１はバルブ機能を備えているので、エアー通路の開閉が容易に行える。例えば、手動バルブの場合、反時計回りにバルブを回すとエアーを入れることができ、エアー充填後にエアーを入れ続けなくても良い。逆に、時計回りにバルブを回すとエアーを抜くことができる。エアーを抜いたときには、支柱１０が可撓性を有するので、小さく折畳んでバッグの中に収納することができる。例えば、幅６６ｃｍ×高さ４１ｃｍ×奥行き３２ｃｍ程度のバッグに、折畳んだテント１００のほかにポンプなどの他の必要なものも収納することができる。
【００３１】
さらに、テント１００は合成樹脂製であり軽量である為、バッグの中に入れてハンドキャリーで持ち運びができ、利便性に優れる。さらにまた、上述のようにテント１００を小さく折畳んでバッグ内に収納できるので、収納場所をとらない。同様に、保管コストも低減できる。このように小さくコンパクトにできるので自動車のトランクに入れて運搬することもできる。
【００３２】
さらにまた、支柱１０は、三層構造の熱可塑性ポリマーと高靭性ポリエステル系合成樹脂とからなるので、耐衝撃性に優れている。例えば、本実施形態のテント１００によれば、約４．６バール（ｂａｒ）の圧力に耐える耐衝撃性を有する。さらに支柱１０は、エアーが充填されている合成樹脂製中空フレームであるため、万が一の事故の場合にも怪我の心配はない。
【００３３】
中空継手２０は、ＰＣ／ＡＢＳからなる合成材料で作られているので、耐衝撃性、耐熱性、耐久性を備えている。本実施形態のテント１００によれば、−１０℃〜５０℃での環境下で使用することができる。環状止具３０は、ＰＣ／ＡＢＳ等の合成樹脂材で作られているので、同様にして環境性能に優れる。
【００３４】
例えば、真夏の太陽が照りつけるグランドでは、直射日光の下、長時間スポーツなどの競技がなされることがある。こういったところでは、競技者も応援者も熱中症対策が必要である。本実施形態のテント１００によれば、上記の如く構成したので、遮光性はもちろん、通気性にも優れる。
【００３５】
通気性に優れるので、ただの日よけだけでなく、体感温度を下げる効果を奏する。強い日差しの中でプレーする選手たちや応援する方たちの身体と体力を守ることができ、快適な空間を提供することができる。
【００３６】
スポーツ競技場や工事現場など、日光を遮るものがなく日陰を確保し難い場所に、上記の如く容易かつ簡単にテント１００を組み立てることができ、作業性が良いので、迅速に日陰を提供することができる。
【００３７】
例えば、天幕４０を屋根部分を構成する支柱１０に張設する際に、テープ状体４３の他端部４６を角環４５が存する外側へ引張するのであるが、この引張方向は天幕４０にテンションをかけたい方向と一致するので、テンションをうまくかけることができる。
【００３８】
このとき、テープ状体４３が帯ペケット４２を介して天幕４０に固着されているので、天幕４０にかかる力を分散させることができ、一点にかかることを防止できる。また、帯ペケット４２は、側部が天幕４０に溶着して取り付けられているので、側部全体を均等に引張することができる。さらに、帯ペケット４２は天幕４０に溶着されているので、雨漏りなどを防止することができる。
【００３９】
テープ状体４３は略中間部分が帯ペケット４２に固着され、角環４５、他端部４６が垂下しているので、作業の際に、角環４５を目視しながら作業でき、作業性が良い。そしてテープ状体４３を支柱１０に巻回したとき、角環４５が支柱１０の外側に位置し、支柱１０で隠れることがない。また、テープ状体４３は他端部側の長さが角環側のそれより長いので、支柱１０の下側を回巻して中央より外側で引張作業を行うことができ、テンションをうまくかけることができる。
【００４０】
仮に、テープ状体４３の他端部側の長さが角環側のそれより短いと、引張の際の上記引張方向とテンション方向とが一致しない場合があり、作業性が良くない。また、面ファスナー４４相互を係止する距離或いは面積が少なくなり、係止力が弱くなり得る。他方、角環側の長さが極めて短い場合には、角環４５が支柱１０で隠れて目視作業が難しくなり、作業性が良くない。
【００４１】
さらに、角環４５を備えていることで、他端部４６を引張する際に、支柱１０の外側で角環４５を支点として、外側方向への引張力を鉛直な下方向や内側方向へ変えることができ、力を入れやすく、容易にテンションをかけた状態を維持しながら係止することができる。
【００４２】
また、本実施形態のテント１００によれば、片流れテントの天幕４０の下り勾配の斜面の斜設方向に所定のテンションをかけた状態で引張状態を維持しており、天幕４０の斜面の側縁部に窪みが生じることを防止できる。
【００４３】
さらに、四方に設けた帯ペケット４２により、天幕４０の下り勾配の斜面の斜設方向に直交する方向に対してもテンションがかかった状態を維持できる。これにより、天幕４０はその全体がストレートな外観の良い斜面を構成し、降雨は天幕４０の斜面上をストレートに流下して排水され、窪みに貯留することを防止することができる。
【００４４】
さらにまた、天幕４０が支柱１０とは別体に構成されているので、支柱１０から天幕４０を容易かつ簡単に取外すことができる。天幕４０のみを取り外して洗濯或いは乾燥でき、これらの時間を短縮することができる。濡れた状態で保存されることなく乾燥後に保存でき、カビなどの発生を防止することができるので、衛生的である。
【００４５】
ここで、組み立ての際の作業性のみならず、折畳みの際の作業においても容易かつ簡単に、そして迅速に行うことができる。例えば、面ファスナー４４，５２の係止を解除し、天幕４０を支柱１０から取り除き、エアーを排出して折畳むことができる。
【００４６】
さらにまた、グランドシート５０を備えているので、地面からの湿気や水分、冷気、熱気などを遮断することができる。また、テープ状体５１，面ファスナー５２，角環５３を備えているので、テープ状体５１，面ファスナー５２，角環５３の係止或いは解除により容易かつ簡単に敷設或いは収納することができる。
【００４７】
本実施形態のテント１００の用途としては、例えば、イベント会場、スポーツ観戦、応援ブースなどの仮設使用の日よけ・雨よけ、工場現場、真夏の日陰、キャップ等のレジャーなどの屋外での使用のほか、屋内での使用に好適である。
【００４８】
（他の実施形態）
なお、第１実施形態を次のように変更して構成することもできる。
例えば、第１実施形態では片流れテント１００の場合について説明したが、いわゆる両流れテントの構成とすることもできる。
【００４９】
また、支柱間は中空継手２０と環状止具３０とでエアー漏れがない状態に連通していればよく、上記実施形態の接合部２３の形状、構造に何ら限定されるものではない。例えば、中空継手２０と環状止具３０との枢着構造又は螺合構造であってもよい。接合部に雄螺子或いは雌裸子を設けて構成することが挙げられる。この場合には、中空継手２０或いは環状止具３０を回転させることにより取着或いは取り外しができる。
【００５０】
さらに、抜止用突状２４の形状、構造等は、上記実施形態の形状、構造等に何ら限定されるものではない。また接合箇所は、接続部の表面外周に何ら限定されるものではなく、例えば、接続部の内周に設けてあっても良い。
【００５１】
さらにまた、面ファスナー４４，５２は、雌雄両用のものに何ら限られず、例えば、雌面ファスナーと雄面ファスナーで構成されていても良い。また、面ファスナー４４，５２は、テープ状体４３，５１の一面のみに形成されたものに何ら限定されず、例えば、両面に形成されていても良い。
【００５２】
本実施形態ではテープ状体に角環を設けて構成しているが、何らこれに限定されるものではなく、例えば丸環であっても良いし、ベルト止め等の係止部材であっても良い。
【符号の説明】
【００５３】
１０・・・支柱（可撓性管状支柱）、  １１・・・補助合掌、  １２・・・補助柱、  ２０・・・中空継手、  ２１・・・注入口、  ２２・・・接続孔、  ２３・・・接続部、  ２４・・・抜止用突状、  ２５・・・筋交い、  ３０・・・環状止具、  ３１・・・抜止用凹部、  ４０・・・天幕（シート材）、  ４１・・・垂れ、  ４２・・・帯ペケット、  ４３・・・テープ状体（係止部材）、  ４４・・・面ファスナー（係止部材）、  ４５・・・角環（係止部材）、  ４６・・・他端部（係止部材）、  ５０・・・グランドシート（シート材）、  ５１・・・テープ状体（係止部材）、  ５２・・・面ファスナー（係止部材）、  ５３・・・角環（係止部材）、  １００・・・テント
【図１】
2017190578.tif 000003
【図２】
2017190578.tif 000004
【図３】
2017190578.tif 000005
【図４】
2017190578.tif 000006
【図５】
2017190578.tif 000007
【図６】
2017190578.tif 000008